(57)【要約】【課題】  長時間露光撮影において、従来撮影者の経験と勘が必要とされていた露光時間の決定をデジタルカメラの機能によって支援し、撮影を容易にする。【解決手段】  撮像手段と、撮影者の一度の撮影指示で複数の画像を撮影する複数画像撮影手段と、複数の画像を保持しておく保持手段と、複数の画像を加算することによって新しい画像を得る画像加算手段と、複数回撮影された画像をそれぞれの撮影直後に前記の画像加算手段によって逐次加算し、その加算した結果の画像を逐次表示する途中結果表示手段と、複数回の撮影中の任意の時点で撮影者が撮影を終了させることのできる撮影終了手段と、複数の画像の中から、任意にいくつかを選択して加算し、完成画像を得る画像選択・加算手段と、完成画像を保存する保存手段を持つことを特徴とする。【選択図】  図１
2005354166.tif 000002
【特許請求の範囲】
【請求項１】
撮像機能を有する画像処理装置であって、撮影開始および終了を指示する撮影指示手段と、上記撮影指示手段による撮影開始指示から撮影終了指示までの間複数回撮像し画像を取得する撮像手段と、上記撮像手段によって取得した画像を保持する保持手段を備えることを特徴とする画像処理装置。
【請求項２】
上記撮影指示手段は、操作者の操作によって撮影開始指示を出し、操作者の操作によって撮影終了指示を出すことを特徴とする請求項１記載の画像処理装置。
【請求項３】
上記撮影指示手段は、操作者の操作によって撮影開始指示を出し、撮影開始指示から一定時間経過後に撮影終了指示を出すことを特徴とする請求項１記載の画像処理装置。
【請求項４】
上記撮像手段は、撮影開始指示から一定時間経過ごとに撮像を行い、さらに撮影終了指示が出たときに撮像を行うことを特徴とする請求項１，２，３記載の画像処理装置。
【請求項５】
画像を表示する表示手段と、上記保持手段の保持する画像を合成することによって、合成対象の画像の全露光時間の露光によって取得した画像と同等の画像を生成する合成手段と、上記撮影開始指示が出ると、上記撮像手段によって撮像が行われるたびに、上記撮影開始指示が出てから取得した全画像を上記合成手段によって合成し上記表示手段によって表示する露光状態表示手段を備えることを特徴とする請求項１，２，３，４記載の画像処理装置。
【請求項６】
複数の画像を合成する機能を有する画像処理装置であって、撮像機能を有する装置における一つの撮影開始指示によって取得された複数の画像を保持する保持手段と、上記保持手段の保持する画像を合成することによって、合成対象の画像の全露光時間の露光によって取得した画像と同等の画像を生成する合成手段と、画像を表示する表示手段と、操作者の操作を受け付ける操作手段を備えることを特徴とする画像処理装置。
【請求項７】
上記操作手段は、時間を示す値を入力可能であることを特徴とし、上記合成手段は、上記保持手段の保持する画像を合成することによって、上記操作手段によって入力された時間露光して取得した画像と同等の画像を生成すること特徴とする請求項６記載の画像処理装置。
【請求項８】
上記操作手段は、上記保持手段の保持する画像の露光時間の総和を上限とし、０を下限とする時間を入力可能であることを特徴とする請求項７記載の画像処理装置。
【請求項９】
時間を示す値を複数生成する時間生成手段を備え、上記合成手段は、上記保持手段の保持する画像を合成することによって、上記時間生成手段によって生成された時間露光して取得した画像と同等の画像を生成することを特徴とし、上記表示手段は、上記合成手段によって生成された画像を一覧表示することを特徴とし、上記操作手段は、上記一覧表示された画像を選択する操作が可能であることを特徴とする請求項６記載の画像処理装置。
【請求項１０】
上記時間生成手段は、上記保持手段の保持する画像の露光時間の総和を上限とし、０を下限とする時間を生成することを特徴とする請求項９記載の画像処理装置。
【請求項１１】
上記表示手段は、上記保持手段の保持する画像を一覧表示することを特徴とし、上記操作手段は、上記一覧表示された画像を単数および複数選択する操作が可能であることを特徴とし、上記合成手段は、上記操作手段によって選択された画像を合成することを特徴とする請求項６記載の画像処理装置。
【請求項１２】
撮像機能および画像処理機能を有する画像処理装置であって、請求項１〜５のいずれかに記載の画像処理装置の機能と、請求項６〜１１のいずれかに記載の画像処理装置の機能を有することを特徴とする画像処理装置。
【請求項１３】
複数の機器が互いに通信可能に接続されている画像処理システムであって、上記複数の機器のうち少なくとも１つの機器は、請求項１〜５の何れかに記載の画像処理装置の機能を有し、上記複数の機器のうち別の少なくとも１つの機器は、請求項６〜１１の何れかに記載の画像処理装置の機能を有することを特徴とする画像処理システム。
【請求項１４】
撮像する処理ステップを含む画像処理方法であって、撮影開始および終了を指示する撮影指示ステップと、上記撮影指示ステップによる撮影開始指示から撮影終了指示までの間複数回撮像し画像を取得する撮像ステップと、上記撮像ステップによって取得した画像を保持する保持ステップを含むことを特徴とする画像処理方法。
【請求項１５】
上記撮影指示ステップは、操作者の操作によって撮影開始指示を出し、操作者の操作によって撮影終了指示を出すステップを含むことを特徴とする請求項１４記載の画像処理方法。
【請求項１６】
上記撮影指示ステップは、操作者の操作によって撮影開始指示を出し、撮影開始指示から一定時間経過後に撮影終了指示を出すステップを含むことを特徴とする請求項１４記載の画像処理方法。
【請求項１７】
上記撮像ステップは、撮影開始指示から一定時間経過ごとに撮像を行い、さらに撮影終了指示が出たときに撮像を行うステップを含むことを特徴とする請求項１４，１５，１６記載の画像処理方法。
【請求項１８】
画像を表示する表示ステップと、上記保持ステップの保持する画像を合成することによって、合成対象の画像の全露光時間の露光によって取得した画像と同等の画像を生成する合成ステップと、上記撮影開始指示が出ると、上記撮像ステップによって撮像が行われるたびに、上記撮影開始指示が出てから取得した全画像を上記合成ステップによって合成し上記表示ステップによって表示する露光状態表示ステップを含むことを特徴とする請求項１４，１５，１６，１７記載の画像処理方法。
【請求項１９】
複数の画像を合成する機能を有する画像処理装置であって、撮像ステップを含む方法における１つの撮影開始指示によって取得された複数の画像を保持する保持ステップと、上記保持ステップの保持する画像を合成することによって、合成対象の画像の全露光時間の露光によって取得した画像と同等の画像を生成する合成ステップと、画像を表示する表示ステップと、操作者の操作を受け付ける操作ステップを含むことを特徴とする画像処理方法。
【請求項２０】
上記操作ステップは、時間を示す値を入力可能であるステップを含むことを特徴とし、上記合成ステップは、上記保持ステップの保持する画像を合成することによって、上記操作ステップによって入力された時間露光して取得した画像と同等の画像を生成するステップを含むことを特徴とする請求項１９記載の画像処理方法。
【請求項２１】
上記操作ステップは、上記保持ステップの保持する画像の露光時間の総和を上限とし、０を下限とする時間を入力可能であるステップを含むことを特徴とする請求項２０記載の画像処理方法。
【請求項２２】
時間を示す値を複数生成する時間生成ステップを備え、上記合成ステップは、上記保持ステップの保持する画像を合成することによって、上記時間生成ステップによって生成された時間露光して取得した画像と同等の画像を生成するステップを含むことを特徴とし、上記表示ステップは、上記合成ステップによって生成された画像を一覧表示するステップを含むことを特徴とし、上記操作ステップは、上記一覧表示された画像を選択する操作が可能であるステップを含むことを特徴とする請求項１９記載の画像処理方法。
【請求項２３】
上記時間生成ステップは、上記保持ステップの保持する画像の露光時間の総和を上限とし、０を下限とする時間を生成するステップを含むことを特徴とする請求項２２記載の画像処理方法。
【請求項２４】
上記表示ステップは、上記保持ステップの保持する画像を一覧表示するステップを含むことを特徴とし、上記操作ステップは、上記一覧表示された画像を単数および複数選択する操作が可能であるステップを含むことを特徴とし、上記合成ステップは、上記操作ステップによって選択された画像を合成するステップを含むことを特徴とする請求項１９記載の画像処理方法。
【請求項２５】
撮像する処理ステップおよび画像処理する処理ステップを含む画像処理方法であって、請求項１４〜１８のいずれかに記載の画像処理方法の処理ステップと、請求項１９〜２４のいずれかに記載の画像処理方法の処理ステップを含むことを特徴とする画像処理方法。
【請求項２６】
請求項１〜１２の何れかに記載の画像処理装置の機能を実施するための処理プログラムを、コンピュータが読出可能に格納したことを特徴とする記憶媒体。
【請求項２７】
請求項１３に記載の画像処理システムの機能を実施するための処理プログラムを、コンピュータが読出可能に格納したことを特徴とする記憶媒体。
【請求項２８】
請求項１４〜２５の何れかに記載の画像処理方法の処理ステップを、コンピュータが読出可能に格納したことを特徴とする記憶媒体。
【発明の詳細な説明】
【技術分野】
【０００１】
本発明は、例えば、撮影あるいは画像処理するための装置或はシステムに用いられる、画像処理装置、画像処理システム、画像処理方法、及びそれを実施するための処理ステップをコンピュータが読出可能に格納した記憶媒体に関するものである。
【背景技術】
【０００２】
写真や画像の撮影手法の１つに長時間露光がある。これは、数秒から数十秒、場合によっては数十分に及ぶ時間露光を行う手法である。夜景等の撮影で長時間露光が行われる。これは、光量が少ないので、映像を得るのに十分な量の光を集めるために露光時間を長くしているのである。
【発明の開示】
【発明が解決しようとする課題】
【０００３】
通常の撮影では、特公平２−４７９１４等に開示されているようにカメラが測光を行い適切な露出設定（絞り値やシャッタースピード）を示してくれる。しかし、長時間露光を行うような暗い場面では、カメラの測光範囲の光量を外れてしまい、露光設定が示されていない。そのため、長時間露光を行うときは撮影者が自分の経験と勘で露光時間を決定しなければならなかった。
【０００４】
そこで、本発明は、上記の欠点を除去するために成されたもので、第１に、露光中に露光量をリアルタイムに観察できる、画像処理装置、画像処理システム、画像処理方法、及びそれを実施するための処理ステップをコンピュータが読出可能に格納した記憶媒体を提供すること、第２に、撮影後に露光量を自由に調整することができる、画像処理装置、画像処理システム、画像処理方法、及びそれを実施するための処理ステップをコンピュータが読出可能に格納した記憶媒体を提供することを目的とする。
【課題を解決するための手段】
【０００５】
斯かる目的下において、第１の発明は、撮像機能を有する画像処理装置であって、撮影開始および終了を指示する撮影指示手段と、上記撮影指示手段による撮影開始指示から撮影終了指示までの間複数回撮像し画像を取得する撮像手段と、上記撮像手段によって取得した画像を保持する保持手段を備えることを特徴とする画像処理装置。
【０００６】
第２の発明は、上記第１の発明において、上記撮影指示手段は、操作者の操作によって撮影開始指示を出し、操作者の操作によって撮影終了指示を出すことを特徴とする。
【０００７】
第３の発明は、上記第１の発明において、上記撮影指示手段は、操作者の操作によって撮影開始指示を出し、撮影開始指示から一定時間経過後に撮影終了指示を出すことを特徴とする。
【０００８】
第４の発明は、上記第１，２，３の発明において、上記撮像手段は、撮影開始指示から一定時間経過ごとに撮像を行い、さらに撮影終了指示が出たときに撮像を行うことを特徴とする。
【０００９】
第５の発明は、上記第１，２，３，４の発明において、画像を表示する表示手段と、上記保持手段の保持する画像を合成することによって、合成対象の画像の全露光時間の露光によって取得した画像と同等の画像を生成する合成手段と、上記撮影開始指示が出ると、上記撮像手段によって撮像が行われるたびに、上記撮影開始指示が出てから取得した全画像を上記合成手段によって合成し上記表示手段によって表示する露光状態表示手段を備えることを特徴とする。
【００１０】
第６の発明は、複数の画像を合成する機能を有する画像処理装置であって、撮像機能を有する装置における一つの撮影開始指示によって取得された複数の画像を保持する保持手段と、上記保持手段の保持する画像を合成することによって、合成対象の画像の全露光時間の露光によって取得した画像と同等の画像を生成する合成手段と、画像を表示する表示手段と、操作者の操作を受け付ける操作手段を備えることを特徴とする画像処理装置。
【００１１】
第７の発明は、上記第６の発明において、上記操作手段は、時間を示す値を入力可能であることを特徴とし、上記合成手段は、上記保持手段の保持する画像を合成することによって、上記操作手段によって入力された時間露光して取得した画像と同等の画像を生成すること特徴とする。
【００１２】
第８の発明は、上記第７の発明において、上記操作手段は、上記保持手段の保持する画像の露光時間の総和を上限とし、０を下限とする時間を入力可能であることを特徴とする。
【００１３】
第９の発明は、上記第６の発明において、時間を示す値を複数生成する時間生成手段を備え、上記合成手段は、上記保持手段の保持する画像を合成することによって、上記時間生成手段によって生成された時間露光して取得した画像と同等の画像を生成することを特徴とし、上記表示手段は、上記合成手段によって生成された画像を一覧表示することを特徴とし、上記操作手段は、上記一覧表示された画像を選択する操作が可能であることを特徴とする。
【００１４】
第１０の発明は、上記第９の発明において、上記時間生成手段は、上記保持手段の保持する画像の露光時間の総和を上限とし、０を下限とする時間を生成することを特徴とする。
【００１５】
第１１の発明は、上記第６の発明において、上記表示手段は、上記保持手段の保持する画像を一覧表示することを特徴とし、上記操作手段は、上記一覧表示された画像を単数および複数選択する操作が可能であることを特徴とし、上記合成手段は、上記操作手段によって選択された画像を合成することを特徴とする。
【００１６】
第１２の発明は、撮像機能および画像処理機能を有する画像処理装置であって、第１〜５の発明のいずれかに記載の画像処理装置の機能と、第６〜１１の発明のいずれかに記載の画像処理装置の機能を有することを特徴とする画像処理装置。
【００１７】
第１３の発明は、複数の機器が互いに通信可能に接続されている画像処理システムであって、上記複数の機器のうち少なくとも１つの機器は、第１〜５の発明の何れかに記載の画像処理装置の機能を有し、上記複数の機器のうち別の少なくとも１つの機器は、第６〜１１の発明の何れかに記載の画像処理装置の機能を有することを特徴とする画像処理システム。
【００１８】
第１４の発明は、撮像する処理ステップを含む画像処理方法であって、撮影開始および終了を指示する撮影指示ステップと、上記撮影指示ステップによる撮影開始指示から撮影終了指示までの間複数回撮像し画像を取得する撮像ステップと、上記撮像ステップによって取得した画像を保持する保持ステップを含むことを特徴とする画像処理方法。
【００１９】
第１５の発明は、上記第１４の発明において、上記撮影指示ステップは、操作者の操作によって撮影開始指示を出し、操作者の操作によって撮影終了指示を出すステップを含むことを特徴とする。
【００２０】
第１６の発明は、上記第１４の発明において、上記撮影指示ステップは、操作者の操作によって撮影開始指示を出し、撮影開始指示から一定時間経過後に撮影終了指示を出すステップを含むことを特徴とする。
【００２１】
第１７の発明は、上記第１４，１５，１６の発明において、上記撮像ステップは、撮影開始指示から一定時間経過ごとに撮像を行い、さらに撮影終了指示が出たときに撮像を行うステップを含むことを特徴とする。
【００２２】
第１８の発明は、上記第１４，１５，１６，１７の発明において、画像を表示する表示ステップと、上記保持ステップの保持する画像を合成することによって、合成対象の画像の全露光時間の露光によって取得した画像と同等の画像を生成する合成ステップと、上記撮影開始指示が出ると、上記撮像ステップによって撮像が行われるたびに、上記撮影開始指示が出てから取得した全画像を上記合成ステップによって合成し上記表示ステップによって表示する露光状態表示ステップを備えることを特徴とする。
【００２３】
第１９の発明は、複数の画像を合成する機能を有する画像処理装置であって、撮像ステップを含む方法における１つの撮影開始指示によって取得された複数の画像を保持する保持ステップと、上記保持ステップの保持する画像を合成することによって、合成対象の画像の全露光時間の露光によって取得した画像と同等の画像を生成する合成ステップと、画像を表示する表示ステップと、操作者の操作を受け付ける操作ステップを含むことを特徴とする画像処理方法。
【００２４】
第２０の発明は、上記第１９の発明において、上記操作ステップは、時間を示す値を入力可能であるステップを含むことを特徴とし、上記合成ステップは、上記保持ステップの保持する画像を合成することによって、上記操作ステップによって入力された時間露光して取得した画像と同等の画像を生成するステップを含むことを特徴とする。
【００２５】
第２１の発明は、上記第２０の発明において、上記操作ステップは、上記保持ステップの保持する画像の露光時間の総和を上限とし、０を下限とする時間を入力可能であるステップを含むことを特徴とする。
【００２６】
第２２の発明は、上記第１９の発明において、時間を示す値を複数生成する時間生成ステップを備え、上記合成ステップは、上記保持ステップの保持する画像を合成することによって、上記時間生成ステップによって生成された時間露光して取得した画像と同等の画像を生成するステップを含むことを特徴とし、上記表示ステップは、上記合成ステップによって生成された画像を一覧表示するステップを含むことを特徴とし、上記操作ステップは、上記一覧表示された画像を選択する操作が可能であるステップを含むことを特徴とする。
【００２７】
第２３の発明は、上記第２２の発明において、上記時間生成ステップは、上記保持ステップの保持する画像の露光時間の総和を上限とし、０を下限とする時間を生成するステップを含むことを特徴とする。
【００２８】
第２４の発明は、上記第１９の発明において、上記表示ステップは、上記保持ステップの保持する画像を一覧表示するステップを含むことを特徴とし、上記操作ステップは、上記一覧表示された画像を単数および複数選択する操作が可能であるステップを含むことを特徴とし、上記合成ステップは、上記操作ステップによって選択された画像を合成するステップを含むことを特徴とする。
【００２９】
第２５の発明は、撮像する処理ステップおよび画像処理する処理ステップを含む画像処理方法であって、請求項１４〜１８のいずれかに記載の画像処理方法の処理ステップと、請求項１９〜２４のいずれかに記載の画像処理方法の処理ステップを含むことを特徴とする画像処理方法。
【００３０】
第２６の発明は、第１〜１２の発明の何れかに記載の画像処理装置の機能を実施するための処理プログラムを、コンピュータが読出可能に格納したことを特徴とする記憶媒体。
【００３１】
第２７の発明は、第１３の発明に記載の画像処理システムの機能を実施するための処理プログラムを、コンピュータが読出可能に格納したことを特徴とする記憶媒体。
【００３２】
第２８の発明は、第１４〜２５の何れかに記載の画像処理方法の処理ステップを、コンピュータが読出可能に格納したことを特徴とする記憶媒体。
【発明の効果】
【００３３】
以上説明したように本発明によれば、数秒以上の露光による撮影において、露光中に固体撮像素子に光が取り込まれ画像が浮かび上がってくる様子をリアルタイムで観測することが可能となり、露光を打ち切る時点を撮影者が容易に判断することができる。さらに、撮影後に、露光中に分割して生成された複数の画像を自由に選択して合成した画像を得ることができ、露光量すなわち画像の明るさを自由に調整することができる。したがって、デジタルカメラ等の撮像装置が自動的に露出設定を算出できないような暗い場面においても、従来経験や勘に頼っていた露光時間の決定を容易に行うことができる。
【００３４】
例えば、夜景を撮影するときに、撮像装置のシャッターを開けた後、露光状態を示す画像を見ながら適当な明るさになったときにシャッターを閉じればよい。そして、もし必要ならば撮影後に露光量（画像の明るさ）を調整することができる。調整のとき、撮影時の全露光量よりも露光量を多くすることはできない（露光量を減らすことしかできない）が、撮影時にあらかじめ多めに露光しておき撮影後に調整を行えば、問題ない。
【発明を実施するための最良の形態】
【００３５】
以下、本発明の実施の形態について図面を用いて説明する。
【００３６】
まず、本文書で用いる「合成」という言葉について説明する。
【００３７】
図６に示すように、例えば１０秒間の露光を行うとき、次の２つは、誤差等を別にすると同一の画像である。
【００３８】
１．露光開始１０秒後に固体撮像素子からデータを読み出して生成した画像。
【００３９】
２．露光開始後２秒ごとに固体撮像素子からデータを読み出して全部で５枚の画像を生成し、そしてこの５枚を合成した画像。
【００４０】
このように、分割露光（上記２．）した複数の画像から、一括露光（上記１．）と同一の画像を生成する画像処理操作を、本文章では合成と呼ぶ。
【００４１】
合成の具体的な方法は、画像のデータ形式によって異なり、対応する各画素の値を単純に加算すればよいこともあれば、より複雑な演算が必要なこともある。しかし、本発明においては、画像のデータ形式や合成方法は問わない。
【００４２】
（第１の実施の形態）
本発明は、例えば、図１に示すような画像処理装置１００に適用される。
【００４３】
画像処理装置１００は、本発明を実施するための手段、方法、機能等が起動可能な構成としている。
【００４４】
具体的には、まず、画像処理装置１００は、上記図１に示すように、ＣＰＵ１０１と、ＲＯＭ１０２と、ＲＡＭ１０３と、クロック１１５と、固体撮像素子１１７およびその制御部１１６と、レンズ１１９およびその制御部１１８と、操作部１０６およびその制御部１０５と、表示部１０８およびその制御部１０７と、メモリカード１１０およびその制御部１０９と、電源部１１４およびその制御部１１３と、他の画像処理装置とのインターフェイス部１１２とが、システムバス１０４を介して互いに通信可能に接続された構成としている。
【００４５】
ＣＰＵ１０１は、ＲＯＭ１０２に記憶されたソフトウェア、或いはメモリカード１１０より供給されるソフトウェアを実行することで、システムバス１０４に接続された各構成部を総括的に制御する。ＣＰＵ１０１は、このようにしてソフトウェアを実行することで、本実施の形態での最も特徴とする動作を実現するための制御を行う。
【００４６】
ＲＯＭ１０２は、ＣＰＵ１０１が読み取るためのブートプログラム、ソフトウェア、データ等を格納する。
【００４７】
ＲＡＭ１０３は、ＣＰＵ１０１の主メモリ或いはワークエリア等として機能する。
【００４８】
クロック１１５は、時間の経過を記録する。
【００４９】
固体撮像素子１１７は、レンズ１１９を通して入射した光を画像に変換する。制御部１１６は、固体撮像素子１１７を制御する。
【００５０】
レンズ１１９は、被写体からの光を固体撮像素子１１７上に結蔵させる。制御部１１８はレンズ１１９のズーミングやフォーカシングを制御する。
【００５１】
シャッター１２１は、固体撮像素子１１７へ入射する光を通したり遮ったりして、露光を制御する。制御部１２０はシャッター１２１の開閉を制御する。ただし、シャッター１２１および制御部１２０は、機械的なシャッターではなく固体撮像素子１１７の機能として実現された電子シャッターであってもよい。
【００５２】
操作部１０６は、ボタンやレバー等の入力装置からなり、撮影や各種設定のための操作を行う。制御部１０５は、操作部１０６からの指示入力を制御する。
【００５３】
表示部１０８は、ＬＣＤ等の表示装置からなる。制御部１０７は、表示部１０８の表示を制御する。
【００５４】
メモリカード１１０は、不揮発性半導体メモリからなる着脱可能なカードである。ただし固定式であってもよい。また、磁気ディスクや光ディスク、光磁気ディスク等の他種の記憶媒体であってもよい。制御部１０９は、メモリカード１１０へのアクセスを制御する。
【００５５】
電源部１１４は、画像処理装置１００の各部へ電力を供給する。電源部１１４は、内蔵の電池であっても、外部から供給される電源であってもよい。制御部１１３は電源部１１４を制御し、画像処理装置１００の各部への電力供給のｏｎ／ｏｆｆを切り替える。
【００５６】
インターフェイス部１１２は、他の装置との間でデータをやり取りしたり、また各種の制御命令をやり取りしたりする。インターフェイス部１１２と上記他の装置の間の通信は、ケーブルや光ファイバーによる接続によるものや、無線や赤外線によるもの、またＬＡＮやインターネット等のネットワークを介したものであってもよい。
【００５７】
画像処理装置１００で使用されるデータ、変数、定数等の例を図４に示す。
【００５８】
後述するように、本実施の形態では露光中に一定間隔で固体撮像素子１１７からデータを読み出す。この間隔が画像生成間隔４０１である。
【００５９】
画像生成タイマー４０２は、これによって画像生成間隔４０１の時間が経過したことを検知する。本タイマーをリセットすると、再び０から時間の経過を測定し始める。
【００６０】
露光進行画像４０３は、露光中に分割して複数生成された画像を合成したもので、この画像を露光中に表示部１０８に表示する。
【００６１】
プレビュー画像４０４は、撮影後の露光時間の調整時に、指定された露光時間に対応する結果を表示する。
【００６２】
図２，３は、本実施の形態における処理の流れの一例を示したものである。図２は撮影時の処理、図３は撮影後の露光調整時の処理を表している。画像処理装置１００において、ＣＰＵ１０１は、ＲＯＭ１０２に記憶された、或いはメモリカード１１０より供給される。上記図２，３のフローチャートに従ったソフトウェアを実行する。これにより、画像処理装置１００は、次のようにして、処理を実施する。
【００６３】
まず、図２の撮影時の処理について説明する。
【００６４】
ステップＳ２０１：撮影者から露光開始の指示があったら、ステップＳ２０２に進む。ない場合は、再びステップＳ２０１に戻る。露光開始の指示は、操作部１０６に対する操作や、インターフェイス部１１２を通して外部の装置からの遠隔操作で行われる。
【００６５】
ステップＳ２０２：画像生成タイマー４０２をリセットする。これによって、画像生成タイマー４０２は０から経過時間を測定し始める。
【００６６】
ステップＳ２０３：シャッター１２１を開き、露光を開始する。
【００６７】
ステップＳ２０４：露光終了指示があった場合は、ステップＳ２１０に進む。ない場合はステップＳ２０５に進む。露光終了指示は、操作部１０６に対する操作や、インターフェイス部１１２を通して外部の装置からの遠隔操作で行われる。また、ステップＳ２０３で露光を開始したときにタイマーが起動し、そのタイマーによって露光前あるいは露光中に設定された全露光時間が経過したことを検知し、露光終了指示が出されるという方法でもよい。
【００６８】
ステップＳ２０５：画像生成タイマー４０２が画像生成間隔４０１の時間経過したことを示す場合はステップＳ２０６に進む。そうでない場合はステップＳ２０４に戻る。
【００６９】
ステップＳ２０６：固体撮像素子１１７からデータを読み出し、画像を生成する。そして、画像をメモリカード１１０に記録する。
【００７０】
ステップＳ２０７：画像生成タイマー４０２をリセットする。
【００７１】
ステップＳ２０８：それまでにステップＳ２０６で生成された単数または複数の画像を合成し、露光進行画像４０３を生成する。
【００７２】
合成の方法は、本ステップが実行されるたびに、それまでにステップＳ２０６で生成された各画像を全て合成する方法でも、前回生成された露光進行画像４０３に、今回のステップＳ２０６の実行で生成された画像１枚を合成する方法でもよい。このどちらかの方法でも、得られる露光進行画像４０３は同じである。ただし後者の場合は、最初の本ステップの実行においては、露光進行画像４０３がリセットされている（＝露光量０の真っ黒な画像である）か、ステップＳ２０６で生成された画像をそのまま露光画像４０３とするかの処理が必要である。
【００７３】
ステップＳ２０９：露光進行画像４０３を表示部１０８に表示する。
【００７４】
ステップＳ２１０：シャッター１２１を閉じ、露光を終了する。
【００７５】
ステップＳ２１１：固体撮像素子１１７からデータを読み出し、画像を生成する。そして、画像をメモリカード１１０に記録する。本ステップの処理は、ステップＳ２０６と同じである。
【００７６】
次に、露光調整時の処理について説明する。
【００７７】
以下の例は、全露光時間８秒の撮影をし、そのとき画像生成間隔４０１＝２秒であったため、２秒間の露光を行った画像が４枚生成されたものとする。
【００７８】
露光調整時の表示部１０８における表示例を図５に示す。
【００７９】
プレビュー領域５０１は、露光時間調整つまみ５０２で指定された露光時間に対応する画像を表示する。露光時間調整つまみ５０２は、撮影者がこれを操作部１０６から操作することによって、露光時間の指定を行う。図３は、全８秒の露光による撮影において、露光時間２秒が指定されている状態である。決定ボタン５０３は、撮影者が最終的に露光時間を決めた後、操作部１０６の操作によってこれを押す。すると、実際の保存用の画像の合成と記録が行われる。
【００８０】
図３の処理の流れは、次のようになる。
【００８１】
ステップＳ３０１：露光時間調整つまみ５０２を初期位置に設定する。
【００８２】
ステップＳ３０２：現在の露光時間調整つまみ５０２の位置に対応するプレビュー画像４０４を生成する。
【００８３】
ステップＳ３０３：プレビュー画像４０４をプレビュー領域５０１に表示する。
【００８４】
ステップＳ３０４：露光時間調整つまみ５０２が操作されたなら、ステップＳ３０２に戻る。そうでないなら、ステップＳ３０５に進む。
【００８５】
ステップＳ３０５：決定ボタン５０３が押されたなら、ステップＳ３０６に進む。そうでないなら、ステップＳ３０４に戻る。
【００８６】
ステップＳ３０６：露光時間調整つまみ５０２の位置に対応する画像を生成する。ステップＳ３０２で生成したのはプレビューのための画像でサイズは小さくてもよかったが、本ステップでは最終結果としての画質を持った画像を生成する。そしてその画像をメモリカード１１０に記録する。
【００８７】
ところで、ステップＳ３０２におけるプレビュー画像４０４の生成は、このステップが実行されるたびに、撮影された各画像から生成を行っても、あらかじめ露光時間調整つまみ５０２の各位置に対応する画像を生成しておきその画像を読み込んでプレビュー画像４０４に設定してもよい。また前者の場合は、一度生成した画像は記録しておき、次に同じ露光時間のプレビュー画像４０４が必要になったときに前回記録した画像を読み込んでプレビュー画像４０４に設定してもよい。このようにすることによって、処理にかかる時間を短くすることができる。
【００８８】
また、ステップＳ３０２およびステップＳ３０６の画像４０４の生成は、全露光時間（本実施例の形態では８秒）露光した画像から、各画素に対して明るさを減ずることによって行ってもよい。例えば、８秒露光した画像の各画素の明るさを１／２にすれば、それは４秒露光した画像と同等になる。また、例えば各画素の明るさを１／１０にして０．８秒露光と同等の画像を得る等、画像生成間隔４０１に左右されない露光時間設定が可能となる。この方法は、画像のノイズが減るという効果もあるが、ただし静止した被写体でないとこの方法を用いるのが難しいことがある。
【００８９】
図２で示した撮影時の処理によって記録された画像を別の装置に移すことによって、図３で示した露光調整時の処理を上記の別の装置で行ってもよい。たとえば、図２の処理をデジタルカメラ等の撮像装置で行い、記録した画像をパソコン等の情報処理装置、画像処理装置に移して図３で示した処理を行ってもよい。
【００９０】
上述のようなステップＳ２０１〜Ｓ２１１およびステップＳ３０１〜Ｓ３０６の処理実行により、露光中に固体撮像素子に光が取り込まれ、画像が浮かび上がってくる様子をリアルタイムで観測することが可能となり、露光を打ち切る時点を撮影者が容易に判断することができる。さらに、撮影後に露光量すなわち画像の明るさを自由に調整することが可能になる。したがって、露光時間の決定が難しかった長時間露光においても、容易に露光時間を決定および調整することができる。
【００９１】
例えば、撮像装置１００での撮影中に、画像生成間隔４０１の時間間隔で、表示部１０８に各時点での露光量を反映させた画像が表示され、撮影者はそれを見て露光を打ち切る時点を判断できる。また、撮影後はプレビュー領域５０１を見ながら露光時間調整つまみ５０２を操作することで、露光量を自由に調節することができる。
【００９２】
（第２の実施の形態）
本発明は、例えば、図１に示すような画像処理装置１００に適用される。図１に対する説明は、第１の実施の形態のものと同様である。
【００９３】
画像処理装置１００で使用されるデータ、変数、定数等の例を図９に示す。画像生成間隔４０１、画像生成タイマー４０２、露光進行画像４０３に対する説明は、第１の実施の形態のものと同様である。
【００９４】
図２，７は、本実施の形態における処理の流れの一例を示したものである。図２は撮影時の処理、図７は撮影後の露光調整時の処理を表している。画像処理装置１００において、ＣＰＵ１０１は、ＲＯＭ１０２に記憶された、或いはメモリカード１１０より供給される、上記図２，７のフローチャートに従ったソフトウェアを実行する。これにより、画像処理装置１００は、次のようにして、処理を実施する。
【００９５】
図２に対する説明は、第１の実施の形態のものと同様である。
【００９６】
次に、露光調整時の処理について説明する。
【００９７】
以下の例は、全露光時間８秒の撮影をし、そのとき画像生成間隔４０１＝２秒であったため、２秒間の露光を行った画像が４枚生成されたものとする。
【００９８】
露光調整時の表示部１０８における表示例を図８に示す。
【００９９】
サンプル画像８０１は、露光量０に相当する画像である。すなわち、真っ黒な画像である。
【０１００】
サンプル画像８０２は、図２で示した処理において撮影された画像から、撮影開始後０〜２秒のものを縮小表示したものである。すなわち、撮影開始後０〜２秒の間露光した画像に相当する。
【０１０１】
サンプル画像８０３は、図２で示した処理において撮影された画像から、撮影開始後０〜２秒のものと２〜４秒のものを合成して縮小表示したものである。すなわち、撮影開始後０〜４秒の間露光した画像に相当する。
【０１０２】
サンプル画像８０４は、図２で示した処理において撮影された画像から、撮影開始後０〜２秒のものと２〜４秒のもの、４〜６秒のものを合成して縮小表示したものである。すなわち、撮影開始後０〜６秒の間露光した画像に相当する。
【０１０３】
サンプル画像８０４は、図２で示した処理において撮影された画像から、撮影開始後０〜２秒のものと２〜４秒のもの、４〜６秒のもの、６〜８秒のものを合成して縮小表示したものである。すなわち、撮影開始後０〜８秒の間露光した画像に相当する。
【０１０４】
選択指示器８０６は、操作部１０６からの操作によってこれを動かし、サンプル画像８０１〜サンプル画像８０５の中から適当な露光状態のものを選択する。
【０１０５】
決定ボタン８０７は、選択指示器８０６による画像の選択を行った後、操作部１０６からの操作によってこれを押して選択を決定する。
【０１０６】
図７の処理の流れは、次のようになる。
【０１０７】
ステップＳ７０１：図２の処理で撮影された画像を合成し、図８の例におけるサンプル画像８０１〜８０５にあたるサンプル画像を１つ生成する。
【０１０８】
ステップＳ７０２：ステップＳ７０１で生成した画像を表示部１０８に表示する。
【０１０９】
ステップＳ７０３：まだ表示していないサンプル画像がある場合（図８の例では、サンプル画像８０１〜８０５がすべて表示し終わっていない場合）、ステップＳ７０１に戻る。全てのサンプル画像を表示し終えた場合は、ステップＳ７０４に進む。
【０１１０】
ステップＳ７０４：操作部１０６における選択指示器８０６に対する操作を受け付ける。撮影者は選択指示器８０６を動かして、適当な露光状態のサンプル画像を選択する。
【０１１１】
ステップＳ７０５：決定ボタン８０７が押されたならば、ステップＳ７０６に進む。そうでなければ、ステップＳ７０４に戻る。
【０１１２】
ステップＳ７０６：選択指示器８０６の指示に対応する画像を生成する。ステップＳ７０１で生成したのはサンプル画像でサイズは小さくてもよかったが、本ステップでは最終結果としての画質を持った画像を生成する。そしてその画像をメモリカード１１０に記録する。
【０１１３】
また、ステップＳ７０１およびステップＳ７０６の画像生成は、全露光時間（本実施の形態では８秒）露光した画像から、各画素に対して明るさを減することによって行ってもよい。例えば、８秒露光した画像の各画素の明るさを１／２にすれば、それは４秒露光した画像と同等になる。また、例えば各画素の明るさを１／１０にして０．８秒露光と同等の画像を得る為、画像生成間隔４０１に左右されない露光時間設定が可能となる。この方法は、画像のノイズが減るという効果もあるが、ただし静止した被写体でないとこの方法を用いるのが難しいことがある。
【０１１４】
図２で示した撮影時の処理によって記録された画像を別の装置に移すことによって、図７で示した露光調整時の処理を上記の別の装置で行ってもよい。たとえば、図２の処理をデジタルカメラ等の撮像装置で行い、記録した画像をパソコン等の情報処理装置、画像処理装置に移して図７で示した処理を行ってもよい。
【０１１５】
上述のようなステップＳ２０１〜ステップＳ２１１およびステップＳ７０１〜ステップＳ７０６の処理実行により、露光中に固体撮像素子に光が取り込まれ、画像が浮かび上がってくる様子をリアルタイムで観測することが可能となり、露光を打ち切る時点を撮影者が容易に判断することができる。さらに、撮影後に露光量すなわち画像の明るさを自由に調整することが可能になる。したがって、露光時間の決定が難しかった長時間露光においても、容易に露光時間を決定および調整することができる。
【０１１６】
例えば、撮像装置１００での撮影中に、画像生成間隔４０１の時間間隔で、表示部１０８に各時点での露光量を反映させた画像が表示され、撮影者はそれを見て露光を打ち切る時点を判断できる。また、撮影後に、さまざまな露光量の画像を示すサンプル画像８０１〜８０５を見ながら、選択指示器８０６を操作して、適切な露光量の画像を選択することができる。
（第３の実施の形態）
本発明は、例えば、図１に示すような画像処理装置１００に適用される。図１に対する説明は、第１の実施の形態のものと同様である。
【０１１７】
画像処理装置１００で使用されるデータ、変数、定数等の例を図１０に示す。画像生成間隔４０１、画像生成タイマー４０２、露光進行画像４０３に対する説明は、第１の実施の形態のものと同様である。
【０１１８】
選択画像リスト４０５は、撮影後の露光調整時に、撮影時に生成された各画像から合成対象として選択したものが登録される。初期状態では、画像は登録されていない。
【０１１９】
プレビュー画像４０６は、選択画像リスト４０５に登録された画像を合成して、プレビュー用の画像としたものである。
【０１２０】
図２，１２は、本実施の形態における処理の流れの一例を示したものである。図２は撮影時の処理、図１２は撮影後の露光調整時の処理を表している。画像処理装置１００において、ＣＰＵ１０１は、ＲＯＭ１０２に記憶された、或いはメモリカード１１０より供給される、上記図２，７のフローチャートに従ったソフトウェアを実行する。これにより、画像処理装置１００は、次のようにして、処理を実施する。
【０１２１】
図２に対する説明は、第１の実施の形態のものと同様である。
【０１２２】
次に、露光時間調整時の処理について説明する。
【０１２３】
以下の例は、全露光時間８秒の撮影をし、そのとき画像生成間隔４０１＝２秒であったため、２秒間の露光を行った画像が４枚生成されたものとする。
【０１２４】
露光調整時の表示部１０８における表示例を図１１に示す。
【０１２５】
サンプル画像１１０２は、図２で示した処理において撮影された画像から、撮影開始後０〜２秒の間露光して撮影された画像を縮小表示したものである。
【０１２６】
サンプル画像１１０３は、図２で示した処理において撮影された画像から、撮影開始後２〜４秒の間露光して撮影された画像を縮小表示したものである。
【０１２７】
サンプル画像１１０４は、図２で示した処理において撮影された画像から、撮影開始４〜６秒の間露光して撮影された画像を縮小表示したものである。
【０１２８】
サンプル画像１１０５は、図２で示した処理において撮影された画像から、撮影開始６〜８秒の間露光して撮影された画像を縮小表示したものである。
【０１２９】
選択指示器１１０６は、操作部１０６からの操作によってこれを動かし、サンプル画像１１０２〜サンプル画像１１０５の中からいくつかを選び選択マーカー１１０７を付けたり外したりするのに使用する。
【０１３０】
選択マーカー１１０７は、図１１の例では、サンプル画像１１０２，１１０４，１１０５に付けられた枠で、この選択マーカー１１０７が付けられた画像は選択画像リスト４０５に登録され、最終的に登録された画像を合成して結果の画像とする。
【０１３１】
プレビュー領域１１０８は、選択マーカー１１０７のつけられた画像を合成した画像を簡易表示する部分で、露光調整の目安とする。
【０１３２】
決定ボタン１１０９は、選択指示器１１０６によって選択マーカー１１０７を付け終えた後、操作部１０６からの操作によってこれを押して選択を決定する。
【０１３３】
図１２の処理の流れは、次のようになる。
【０１３４】
ステップＳ１２０１：図２の処理で撮影された画像を１枚、サンプル画像として縮小表示する。
【０１３５】
ステップＳ１２０２：まだ表示していないサンプル画像がある場合（図１１の例では、サンプル画像１１０２〜１１０５がすべて表示し終わっていない場合）、ステップＳ１２０１に戻る。全てのサンプル画像を表示し終えた場合は、ステップＳ１２０３に進む。
【０１３６】
ステップＳ１２０３：選択画像リスト４０５に登録されている画像を合成し、プレビュー画像４０６に格納する。選択画像リスト４０５に画像が登録されていない場合は、プレビュー画像４０４は真っ黒な画像となる。
【０１３７】
ステップＳ１２０４：プレビュー画像４０６をプレビュー領域１１０８に表示する。
【０１３８】
ステップＳ１２０５：操作部１０６における選択指示器１１０６に対する操作を受け付ける。撮影者は選択指示器１１０６を動かして、サンプル画像１１０２〜１１０５の指定を行う。
【０１３９】
ステップＳ１２０６：ステップＳ１２０５においてサンプル画像が指定されたなら、ステップＳ１２０７に進む。そうでなければ、ステップＳ１２１０に進む。
【０１４０】
ステップＳ１２０７：指定されたサンプル画像が選択画像リスト４０５にすでに登録されていたら、ステップＳ１２０９に進む。そうでなければ、ステップＳ１２０８に進む。
【０１４１】
ステップＳ１２０８：指定されたサンプル画像を選択画像リスト４０５に登録する。
【０１４２】
ステップＳ１２０９：指定されたサンプル画像を選択画像リスト４０５から登録解除する。すなわち、一度指定して登録されたサンプル画像を再び指定することにより、登録解除することが可能である。
【０１４３】
ステップＳ１２１２：選択マーカー１１０７の表示を更新し、ステップＳ１２０８あるいはＳ１２０９における変更を反映させる。
【０１４４】
ステップＳ１２１０：決定ボタン１１０９が押されたならば、ステップＳ１２１１に進む。そうでなければ、ステップＳ１２０５に戻る。
【０１４５】
ステップＳ１２１１：選択画像リスト４０５に登録された画像を合成する。ステップＳ１２０３で生成したのはプレビュー用の画像で、サイズは小さくてもよかったが、本ステップでは最終結果としての画質を持った画像を生成する。そしてその画像をメモリカード１１０に記録する。
【０１４６】
図２で示した撮影時の処理によって記録された画像を別の装置に移すことによって、図１２で示した露光調整時の処理を上記の別の装置で行ってもよい。たとえば、図２の処理をデジタルカメラ等の撮像装置で行い、記録した画像をパソコン等の情報処理装置、画像処理装置に移して図１２で示した処理を行ってもよい。
【０１４７】
上述のようなステップＳ２０１〜Ｓ２１１およびステップＳ１２０１〜Ｓ１２１２の処理実行により、露光中に固体撮像素子に光が取り込まれ、画像が浮かび上がってくる様子をリアルタイムで観測することが可能となり、露光を打ち切る時点を撮影者が容易に判断することができる。さらに、撮影後に、露光中に分割して生成された複数の画像を自由に選択して合成した画像を得ることができ、露光量すなわち画像の明るさを自由に調整することや、露光中の不適当な画像を除外することが可能になる。露光中の不適当な画像とは、例えば、夜景を撮影しているときにそばを自動車が通り過ぎて、辺りが明るく照らし出されてしまった等、そのときの露光だけを除外したいという画像である。
【０１４８】
したがって、露光時間の決定が難しかった長時間露光においても、容易に露光時間を決定および調整することができ、露光中に不適当な光や物体が写り込んだ場合にもそれを除外することができる。
【０１４９】
例えば、撮像装置１００での撮影中に、画像生成間隔４０１の時間間隔で、表示部１０８に各時点での露光量を反映させた画像が表示され、撮影者はそれを見て露光を打ち切る時点を判断できる。また、撮影後に、分割して撮影された各画像を示すサンプル画像１１０２〜１１０５を見ながら選択指示器１１０６を操作して、自由に画像を選択し合成して、適切な露光量の画像を得ることができる。
【０１５０】
また、本発明の目的は、第１〜第３の実施の形態のホスト及び端末の機能を実現するソフトウェアのプログラムコードを記憶した記憶媒体を、システム或いは装置に供給し、そのシステム或いは装置のコンピュータ（又はＣＰＵ）が記憶媒体に格納されたプログラムコードを読みだして実行することによっても、達成されることは言うまでもない。
【０１５１】
この場合、記憶媒体から読み出されたプログラムコード自体が第１〜第３の実施の形態の機能を実現することとなり、そのプログラムコードを記憶した記憶媒体は本発明を構成することとなる。
【０１５２】
プログラムコードを供給するための記憶媒体としては、フロッピー（登録商標）等の磁気ディスク、ＣＤやＤＶＤ等の光ディスク、ＭＯ等の光磁気ディスク、ＰＣカード等の不揮発性半導体メモリ、といった各種のものを用いることができる。
【０１５３】
また、コンピュータが読みだしたプログラムコードを実行することにより、第１〜第３の実施の形態の機能が実現されるだけでなく、そのプログラムコードの指示に基づき、コンピュータ上で稼動しているＯＳ等が実際の処理の一部又は全部を行い、その処理によって第１〜第３の実施の形態の機能が実現される場合も含まれることは言うまでもない。
【０１５４】
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第３の実施の形態の機能が実現される場合も含まれることは言うまでもない。
【図面の簡単な説明】
【０１５５】
【図１】第１〜第３の実施の形態において、本発明を適用した画像処理装置の構成を示すブロック図である。
【図２】第１〜第３の実施の形態における上記画像処理装置の動作を説明するためのフローチャートである。
【図３】第１の実施の形態における上記画像処理装置の動作を説明するためのフローチャートである。
【図４】第１の実施の形態における上記画像処理装置で使用されるデータ、変数、定数等を示す図である。
【図５】第１の実施の形態における上記画像処理装置の表示例を示す図である。
【図６】第１〜第３の実施の形態における画像合成を説明する図である。
【図７】第２の実施の形態における上記画像処理装置の動作を説明するためのフローチャートである。
【図８】第２の実施の形態における上記画像処理装置の表示例を示す図である。
【図９】第２の実施の形態における上記画像処理装置で使用されるデータ、変数、定数等を示す図である。
【図１０】第３の実施の形態における上記画像処理装置で使用されるデータ、変数、定数等を示す図である。
【図１１】第３の実施の形態における上記画像処理装置の表示例を示す図である。
【図１２】第２の実施の形態における上記画像処理装置の動作を説明するためのフローチャートである。
【符号の説明】
【０１５６】
１００  画像処理装置
１０１  ＣＰＵ
１０２  ＲＯＭ
１０３  ＲＡＭ
１０４  システムバス
１０５  制御部
１０６  操作部
１０７  制御部
１０８  表示部
１０９  制御部
１１０  メモリカード
１１３  制御部
１１４  電源部
１１５  クロック
１１６  制御部
１１７  固体撮像素子
１１８  制御部
１１９  レンズ
１２０  制御部
１２１  シャッター
２００  画像処理装置
２０１  ＣＰＵ
２０２  ＲＯＭ
２０３  ＲＡＭ
２０４  システムバス
２０５  制御部
２０６  操作部
２０７  制御部
２０８  表示部
２０９  制御部
２１０  固定ディスク
２１１  リムーバブルディスク
２１２  インターフェイス部
４０１  画像生成間隔
４０２  画像生成タイマー
４０３  露光進行画像
４０４  プレビュー画像
４０５  選択画像リスト
４０６  プレビュー画像
５０１  プレビュー領域
５０２  露光時間調整つまみ
５０３  決定ボタン
８０１  サンプル画像
８０２  サンプル画像
８０３  サンプル画像
８０４  サンプル画像
８０５  サンプル画像
８０６  選択指示器
８０７  決定ボタン
１１０２  サンプル画像
１１０３  サンプル画像
１１０４  サンプル画像
１１０５  サンプル画像
１１０６  選択指示器
１１０７  選択マーカー
１１０８  プレビュー領域
１１０９  決定ボタン
【図１】
2005354166.tif 000003
【図２】
2005354166.tif 000004
【図３】
2005354166.tif 000005
【図４】
2005354166.tif 000006
【図５】
2005354166.tif 000007
【図６】
2005354166.tif 000008
【図７】
2005354166.tif 000009
【図８】
2005354166.tif 000010
【図９】
2005354166.tif 000011
【図１０】
2005354166.tif 000012
【図１１】
2005354166.tif 000013
【図１２】
2005354166.tif 000014